(57)【要約】      （修正有）【課題】サーバに負荷を与えることなく、履修情報を各端末に配信できる出席管理システムを提供する。【解決手段】講義に対する出欠情報を学生情報に対応して管理する管理サーバ４０と、各教室に配置され、学生が所持する記録媒体から、リーダライタによって学生情報を読み取り、学生情報を出席情報に対応付けて管理サーバ４０に送信する複数の出席管理端末とを有し、管理サーバ４０は、学生の履修情報を管理する履修情報管理部４６と、複数の出席管理端末を経由して情報を伝送する伝送経路を設定した経路情報を管理する経路管理部４７と、経路情報と履修情報とに基づき、伝送経路毎に、当該伝送経路中の出席管理端末全ての履修情報を配信する配信部４２とを具備し、出席管理端末は、自端末が属する経路中の出席管理端末を経由して伝送される前記履修情報のうち、自端末に必要な前記履修情報のみを取得して保持する保持部を具備する。【選択図】図２
2014228910.tif 000002
【特許請求の範囲】
【請求項１】
講義に対する出席または欠席を示す出席情報を学生情報に対応して管理する管理サーバと、
各教室に配置され、学生が所持する記録媒体である学生証から、リーダライタによって前記学生情報を読み取り、該学生情報を前記出席を示す出席情報に対応付けて前記管理サーバに送信する複数の出席管理端末と
を有し、
前記管理サーバは、
前記学生情報に対応して当該学生の履修情報を管理する管理部と、
前記複数の出席管理端末を経由して情報を伝送するための伝送経路を設定した経路情報を管理する経路管理部と、
前記経路情報と前記履修情報とに基づき、各伝送経路毎に、当該伝送経路中の前記出席管理端末全ての履修情報を配信する配信部と
を具備し、
前記出席管理端末は、
自端末が属する経路中の前記出席管理端末を経由して伝送される前記履修情報のうち、自端末に必要な前記履修情報のみを取得して保持する保持部
を具備することを特徴とする出席管理システム。
【請求項２】
前記出席管理端末は、
前記取得保持手段により抜き取った自端末に必要な前記履修情報を前記経路中の下流側の出席管理端末に配信する
ことを特徴とする請求項１記載の出席管理システム。
【請求項３】
前記配信部は、
前記各伝送経路中の前記出席管理端末全ての履修情報を、当該伝送経路中の前記出席管理端末毎に分けて配信する
ことを特徴とする請求項１または２記載の出席管理システム。
【請求項４】
前記配信部は、
前記各伝送経路中の前記出席管理端末全ての履修情報を、データの種別毎に分けて配信する
ことを特徴とする請求項１または請求項２に記載の出席管理システム。
【請求項５】
前記配信部は、
前記各伝送経路中の前記出席管理端末全ての履修情報を、当該伝送路中の前記出席管理端末の幾つかを飛ばして異なるルートで配信する
ことを特徴とする請求項１または請求項２に記載の出席管理システム。
【発明の詳細な説明】
【技術分野】
【０００１】
本発明は、出席管理システムに関する。
【背景技術】
【０００２】
現在、大学等の施設において各教室に出席管理端末を設置することにより、各講義に出席した学生の出欠管理を自動化で行っている。
また、学生は学期の初めに、どの講義を受講するのか決定した後、履修登録を行っている。教室に設置されている各出席管理端末は、学生が事前に登録した履修登録情報を保持していない為、本当に履修しているのかどうかを確認するには履修情報を管理している教務課へ行く必要があった。
このような出席管理システムとして特許文献１のようなものが提案されている。
【先行技術文献】
【特許文献】
【０００３】
【特許文献１】特開２０１１−２０５５０２号公報
【発明の概要】
【発明が解決しようとする課題】
【０００４】
しかしながら、学生の数だけ履修情報の情報量を持つ必要があり、全ての情報量を教室に設置した各端末が保持し、学生が学生証をかざした際の出席時に履修しているかのチェックを行うとなると端末の処理に負荷がかかる虞がある。また、学生証をかざす毎に管理サーバと通信を行う場合も、学生が出席する時間はほぼ同一のためトラフィックの問題があり現実的ではない。さらに、講義によっては教室変更がある為、その都度端末の履修情報を入替る必要があり、手間がかかるとともに管理サーバに負荷がかかってしまうという問題がある。
【０００５】
本発明は、上記した課題を解決するためになされたものであり、サーバに負荷を与えることなく、履修情報を各端末に配信できる出席管理システムを提供することを目的とする。
【課題を解決するための手段】
【０００６】
上記した課題を解決するために、（１）本発明は、講義に対する出席または欠席を示す出席情報を学生情報に対応して管理する管理サーバと、各教室に配置され、学生が所持する記録媒体である学生証から、リーダライタによって前記学生情報を読み取り、該学生情報を前記出席を示す出席情報に対応付けて前記管理サーバに送信する複数の出席管理端末とを有し、前記管理サーバは、前記学生情報に対応して当該学生の履修情報を管理する管理部と、前記複数の出席管理端末を経由して情報を伝送するための伝送経路を設定した経路情報を管理する経路管理部と、前記経路情報と前記履修情報とに基づき、各伝送経路毎に、当該伝送経路中の前記出席管理端末全ての履修情報を配信する配信部とを具備し、前記出席管理端末は、自端末が属する経路中の前記出席管理端末を経由して伝送される前記履修情報のうち、自端末に必要な前記履修情報のみを取得して保持する保持部を具備する出席管理システムを提供する。
【０００７】
（２）前記出席管理端末は、前記取得保持手段により抜き取った自端末に必要な前記履修情報を前記経路中の下流側の出席管理端末に配信する（１）記載の出席管理システムを提供する。
（３）前記配信部は、前記各伝送経路中の前記出席管理端末全ての履修情報を、当該伝送経路中の前記出席管理端末毎に分けて配信する（１）または（２）に記載の出席管理システムを提供する。
（４）前記配信部は、前記各伝送経路中の前記出席管理端末全ての履修情報を、データの種別毎に分けて配信する（１）または（２）に記載の出席管理システムを提供する。
（５）前記配信部は、前記各伝送経路中の前記出席管理端末全ての履修情報を、当該伝送路中の前記出席管理端末の幾つかを飛ばして異なるルートで配信する（１）または（２）に記載の出席管理システムを提供する。
【発明の効果】
【０００８】
本発明によれば、サーバに負荷を与えることなく、履修情報を各端末に配信できる出席管理システムを提供することができる。
【図面の簡単な説明】
【０００９】
【図１】本発明の実施形態による出席管理システムの構成を示すブロック図である。
【図２】本発明の実施形態による管理サーバの構成を示すブロック図である。
【図３】本発明の実施形態による出席管理端末の構成を示すブロック図である。
【図４】本発明の実施形態における学生が履修登録をする際の処理フローチャートである。
【図５】本発明の実施形態における履修情報の配信処理の処理フローチャートである。
【図６】各教室に設定された出席管理端末の処理フローである。
【発明を実施するための形態】
【００１０】
以下、添付図面を参照して、本発明を実施するための形態（以下、本実施形態という）について詳細に説明する。なお、本実施形態の説明の全体を通して同じ要素には同じ番号を付している。本実施形態は、大学等における出席または欠席の管理を行うために用いらえる出席管理システムなどに適用される。
【００１１】
図１は、本発明の一実施形態による出席管理システムの構成を示すブロック図である。
図１に示すように、出席管理システムは、教室６００の各教室６１０Ａ〜６１０Ｆのそれぞれに備えられた複数の出席管理端末１０Ａ〜１０Ｆと、ターミナルアダプタとして機能する出席管理端末２０と、管理サーバ４０と、それらを接続するネットワーク３０とから構成されている。
以下、出席管理端末を単に「端末」という。
【００１２】
出席管理システムは、大学等の学校における出席または欠席の管理を集中的に行うためのものである。各教室６１０Ａ〜６１０Ｆには、それぞれ端末１０Ａ〜１０Ｆが配置されている。端末１０Ａ〜１０Ｆは、少なくともＩＣカードを読み書きするリーダライタと無線機能が設けられている。複数の端末１０Ａ〜１０Ｆは、学生が所持する記録媒体である学生証から、リーダライタ１４によって学生情報を読み取り、学生情報を出席を示す出席情報に対応付けて端末２０を介して管理サーバ４０に送信する。
端末２０は、ターミナルアダプタとして機能して各端末１０Ａ〜１０Ｆと管理サーバ４０間のデータの送受信を行う。
管理サーバ４０は、講義に対する出席または欠席を示す出席情報を学生情報に対応して管理する。
【００１３】
図２は、本発明の実施形態による管理サーバの構成を示すブロック図である。
図２に示すように、管理サーバ４０は、制御部４１、配信部４２、操作部４３、表示部４４、ＲＡＭ（Random  Access  Memory）／ＲＯＭ（Read  Only  Memory）４５、履修情報管理部４６、経路管理部４７を備える。
制御部４１は、例えばＣＰＵ（Central  Processing  Unit）により構成され、出席管理と履修情報の管理に必要な制御を行う。操作部４３は、ユーザや管理者によって操作され、管理サーバ４０に対して所定の入力を行うものである。表示部４４は、ユーザや管理者に対して出力を行う。ＲＡＭ／ＲＯＭ４５は、作業領域として使用され、また各種プログラムが格納されている。
【００１４】
履修情報管理部４６は、学生情報に対応して学生の履修情報を管理するものである。経路管理部４７は、複数の端末を経由して情報を伝送するための伝送経路を設定した経路情報を管理する。配信部４２は、経路情報と履修情報とに基づき、各伝送経路毎に、当該伝送経路中の端末全ての履修情報を配信する。
【００１５】
図３は、本発明の実施形態による出席管理端末の構成を示すブロック図である。
図３に示すように、端末１０は、制御部１１、アンテナ１２、無線ＬＡＮ部１３、リーダライタ１４、操作部１５、センサ部１６、表示部１７、ＲＡＭ（Random  Access  Memory）／ＲＯＭ（Read  Only  Memory）部１８、電源部１９、保持部１１０を備える。尚、端末２０も端末１０と同様に構成されている。
制御部１１は、例えばＣＰＵ（Central  Processing  Unit）により構成され、出席管理に必要な制御を行う。リーダライタ１４は、非接触型のものであって、非接触型のカード５０に対して読み書きを行う。操作部１５は、ユーザや管理者によって操作され、端末１０に対して所定の入力を行うものである。センサ部１６は、各種検出を行う。表示部１７は、ユーザや管理者に対して出力を行う。ＲＡＭ／ＲＯＭ部１８は、作業領域として使用され、また各種プログラムが格納されている。電源部１９は、例えば充電式バッテリ等より構成され、出席管理端末全体に電源を供給する。
【００１６】
保持部１１０は、自端末が属する経路中の端末を経由して伝送される履修情報のうち、自端末に必要な履修情報のみを取得して保持する。無線ＬＡＮ部１３は、アンテナ１２を介して他の端末と通信を行うものであって、端末１０Ａ〜１０Ｆが、保持部１１０により抜き取った自端末に必要な履修情報を経路中の下流側の端末に配信する。
【００１７】
図４は、本発明の実施形態における学生が履修登録をする際の処理フローチャートである。
図４に示すように、出席管理端末１０Ａ〜１０Ｆは、学生が履修情報を入力すると履修情報の登録完了処理を行う（ステップＳ１０１）。出席管理端末１０Ａ〜１０Ｆは、ＩＣカード付きの学生証へ各学生ごとに出席管理端末に登録したものと同じ履修情報を書き込む（ステップＳ１０２、Ｓ５０１）。出席管理端末１０Ａ〜１０Ｆは、履修情報を管理サーバ４０へ送信する（ステップＳ１０３）。
管理サーバ４０は、出席管理端末１０Ａ〜１０Ｆより履修情報を受信する（ステップＳ４０１）。管理サーバ４０は、各学生の履修情報を記憶部に保存して処理を終了する（ステップＳ４０２）。この処理により出席管理端末で登録された履修情報が学生証と管理サーバにも保存される。
【００１８】
図５は、本発明の実施形態における履修情報の配信処理の処理フローチャートである。
図１に示した例では、通信経路は、管理サーバ４０→端末２０→端末１０Ａ→端末１０Ｂ→端末１０Ｃ→端末１０Ｄ→端末１０Ｅ→端末１０Ｆとする。
また、管理サーバ４０は、端末１０Ａに端末１０Ａに必要な履修情報ＸＡ、端末１０Ｂに端末１０Ｂに必要な履修情報ＸＢ、端末１０Ｃに端末１０Ｃに必要な履修情報ＸＣ、端末１０Ｄに端末１０Ｄに必要な履修情報ＸＤ、端末１０Ｆに端末１０Ｆに必要な履修情報ＸＦを送りたいとする。
【００１９】
管理サーバ４０の制御部４１は、各経路ごとに、経路に含まれる端末全ての履修情報を履修情報管理部４６から取得する（ステップＳ４１１）。この例では通信経路は１つであるとする。管理サーバ４０の配信部４２は、各経路ごとに、経路に含まれる端末全ての履修情報（ＸＡ＋ＸＢ＋ＸＣ＋ＸＤ＋ＸＥ＋ＸＦ）を端末２０へ配信する（ステップＳ４１２）。端末２０は、経路に含まれる端末全ての履修情報を受信する（ステップＳ２１１）。端末２０は、受信した履修情報から自端末に関係する履歴情報を抜き取って保持部１１０に保存する（ステップＳ２１２）。
【００２０】
端末２０は、履修情報がまだ残っているか否かを判定し、履修履歴が残っていないと判定した場合（ステップＳ２１３でＮＯ）、履修情報受信済みデータを管理サーバ４０へ送信する（ステップＳ２１５）。端末２０は、履修履歴がまだ残っていると判定した場合（ステップＳ２１３でＹＥＳ）、抜き取られた他の端末の履修履歴を送信する（ステップＳ２１４）。ここでは、端末２０は、管理サーバ４０からの履修情報（ＸＡ＋ＸＢ＋ＸＣ＋ＸＤ＋ＸＥ＋ＸＦ）にそのまま端末１０Ａへ送る。
【００２１】
端末１０Ａは、抜き取られた他の端末の履修履歴を受信する（ステップＳ１１１Ａ）。端末１０Ａは、自端末が属する経路中の端末を経由して伝送される履修情報のうち、自端末に関係する履修情報（ＸＡ）のみを抜き取って取得して保持部１１０に保持する（ステップＳ１１２Ａ）。端末１０Ａは、履修情報がまだ残っているか否かを判定し、履修履歴が残っていないと判定した場合（ステップＳ１１３ＡでＮＯ）、履修情報受信済みデータを管理サーバ４０へ送信する（ステップＳ１１５Ａ）。端末１０Ａは、履修履歴がまだ残っていると判定した場合（ステップＳ１１３ＡでＹＥＳ）、抜き取られた他の端末の残りの履修履歴（ＸＢ＋ＸＣ＋ＸＤ＋ＸＥ＋ＸＦ）を端末１０Ｂへ送信する（ステップＳ１１４Ａ）。
【００２２】
端末１０Ｂは、抜き取られた他の端末の履修履歴を受信する（ステップＳ１１１Ｂ）。端末１０Ｂは、自端末が属する経路中の端末を経由して伝送される履修情報のうち、自端末に必要な履修情報（ＸＢ）のみを取得して保持部１１０に保持する（ステップＳ１１２Ｂ）。端末１０Ｂは、履修情報がまだ残っているか否かを判定し、履修履歴が残っていないと判定した場合（ステップＳ１１３ＢでＮＯ）、履修情報受信済みデータを管理サーバ４０へ送信する（ステップＳ１１５Ｂ）。端末１０Ｂは、履修履歴がまだ残っていると判定した場合（ステップＳ１１３ＢでＹＥＳ）、抜き取られた他の端末の残りの履修履歴（ＸＣ＋ＸＤ＋ＸＥ＋ＸＦ）を端末１０Ｃへ送信する（ステップＳ１１４Ｂ）。
【００２３】
以下同様にして、端末１０Ｃは、自端末が属する経路中の端末を経由して伝送される履修情報のうち、自端末に必要な履修情報（ＸＣ）のみを取得して保持し、残りの履修情報（ＸＤ＋ＸＥ＋ＸＦ）を端末１０Ｄへ送る。端末１０Ｄは、自端末が属する経路中の端末を経由して伝送される履修情報のうち、自端末に必要な履修情報（ＸＤ）のみを取得して保持し、残りの履修情報（ＸＥ＋ＸＦ）を端末１０Ｅへ送る。端末１０Ｅは、自端末が属する経路中の端末を経由して伝送される履修情報のうち、自端末に必要な履修情報（ＸＥ）のみを取得して保持し、残りの履修情報（ＸＦ）を端末１０Ｆへ送る。
【００２４】
図６は、各教室に設定された出席管理端末の処理フローである。端末１０Ａ〜１０Ｆは、かざされた学生情報から学生情報を取得する（ステップＳ６０１）。次に、端末１０Ａ〜１０Ｆは、取得した学生情報から履修情報を取得する（ステップＳ６０２）。端末１０Ａ〜１０Ｆは、履修情報の有無をチェックし、履修履歴がある場合には、出席処理を行い（ステップＳ６０４）、履修情報がない場合（ステップＳ６０３で「無」）、「履修登録がされていません」というメッセージを表示する（ステップＳ６０５）。
【００２５】
各端末１０Ａ〜１０Ｆは取得した履修情報を利用して学生の出席管理情報を生成して、出席管理情報を履修情報が送られてきた端末とは逆の経路で、管理サーバ４０の出席管理情報を送信する。具体的には、端末１０Ｆは、自身の出席管理情報（ＹＦ）を端末１０Ｅへ送り、端末１０Ｅは、自身と端末１０Ｆの出席管理情報（ＹＥ＋ＹＦ）を端末１０Ｄへ送り、端末１０Ｄは、自身と端末１０Ｆ、１０Ｅの出席管理情報（ＹＤ＋ＹＥ＋ＹＦ）を端末１０Ｃへ送り、端末１０Ｄは、自身と端末１０Ｆ、１０Ｅ、１０Ｄの出席管理情報（ＹＣ＋ＹＤ＋ＹＥ＋ＹＦ）を端末１０Ｂへ送り、端末１０Ｂは、自身と端末１０Ｆ、１０Ｅ、１０Ｄ、１０Ｃの出席管理情報（ＹＢ＋ＹＣ＋ＹＤ＋ＹＥ＋ＹＦ）を端末１０Ａへ送り、端末１０Ａは、自身と端末１０Ｆ、１０Ｅ、１０Ｄ、１０Ｃ、１０Ｂの出席管理情報（ＹＡ＋ＹＢ+ＹＣ+ＹＤ＋ＹＥ+ＹＦ）を端末２０へ送り、端末２０が出席管理情報（ＹＡ＋ＹＢ＋ＹＣ＋ＹＤ＋ＹＥ＋ＹＦ）を管理サーバ４０へ送る。
【００２６】
本実施形態によれば、学生証をかざす毎に管理サーバ４０と通信を行う場合に比べて、学生が出席する時間はほぼ同一であってもトラフィックの問題は生じない。さらに、講義によっては教室変更がある為、その都度端末の履修情報を入替る必要があり、本実施形態によれば手間がかかることもなく、管理サーバ４０の負荷も軽減される。
【００２７】
次に、本発明の実施形態における他の配信例について説明する。
上述の配信例では、管理サーバ４０が、履修情報（ＸＡ＋ＸＢ＋ＸＣ＋ＸＤ＋ＸＥ＋ＸＦ）をまとめて経路に配信していた。配信部４２が、各伝送経路中の端末全ての履修情報を、伝送経路中の端末毎に分けて配信するようにしてもよい。各端末へ送る履歴情報の間に端末ＩＤ（端末識別情報）を挿入することにより、端末側はデータを見つけやすくなる。
【００２８】
端末ＩＤとしてＭＡＣアドレスを利用し、端末１０Ａ〜端末１０ＦのＭＡＣアドレスをそれぞれＭＡＣＡ〜ＭＡＣＦとする。管理サーバ４０が配信するデータは、履修情報に各端末の端末ＩＤを挿入して、（ＸＡ＋ＭＡＣＡ＋ＸＢ＋ＭＡＣＢ＋ＸＣ＋ＭＡＣＣ＋ＸＤ＋ＭＡＣＤ＋ＸＥ＋ＭＡＣＥ＋ＸＦ＋ＭＡＣＦ）となる。管理サーバ４０は、このデータを端末２０へ配信し、さらに端末２０が端末１０Ａに送信し、端末１０Ｂ→端末１０Ｃ→端末１０Ｄ→端末１０Ｅ→端末１０Ｆで順次送り自端末に必要な情報のみを取得して残りのデータを下流側に送っていく。
【００２９】
次に、本発明の実施形態における他の配信例について説明する。
配信部４２は、各伝送経路中の端末全ての履修情報を、データの種別毎に分けて配信する。この例では、伝送経路は１つとし、配信部４２が、１つの伝送経路中の端末１０Ａ〜１０Ｆ全ての履修情報を、データの種別（授業情報Ｓと学生情報Ｔ）毎に分けて配信する場合について説明する。
図１に示した例では、通信経路は、管理サーバ４０→端末２０→端末１０Ａ→端末１０Ｂ→端末１０Ｃ→端末１０Ｄ→端末１０Ｅ→端末１０Ｆとする。
端末１０Ａに端末１０Ａに必要な授業情報ＳＡと学生情報ＴＡ、端末１０Ｂに端末１０Ｂに必要な授業情報ＳＢと学生情報ＴＢ、端末１０Ｃに端末１０Ｃに必要な授業情報ＳＣと学生情報ＴＣ、端末１０Ｄに端末１０Ｄに必要な授業情報ＳＤと学生情報ＴＤ、端末１０Ｆに端末１０Ｆに必要な授業情報ＳＦと学生情報ＴＦを送りたいとする。
この場合、管理サーバ４０は、データの種別毎に、授業情報（ＳＡ＋ＳＢ＋ＳＣ＋ＳＤ＋ＳＥ＋ＳＦ）と学生情報（ＴＡ＋ＴＢ＋ＴＣ＋ＴＤ＋ＴＥ＋ＴＦ）をデータの種別毎に別々に端末２０へ送る。
【００３０】
端末２０は、管理サーバ４０からの授業情報（ＳＡ＋ＳＢ＋ＳＣ＋ＳＤ＋ＳＥ＋ＳＦ）にそのまま端末１０Ａへ送る。端末１０Ａは、授業情報のうち、自端末に必要な授業情報（ＳＡ）のみを取得して保持し、残りの授業情報（ＳＢ＋ＳＣ＋ＳＤ＋ＳＥ＋ＳＦ）を端末１０Ｂへ送る。端末１０Ｂは、授業情報のうち、自端末に必要な授業情報（ＳＢ）のみを取得して保持し、残りの授業情報（ＳＣ＋ＳＤ＋ＳＥ＋ＳＦ）を端末１０Ｃへ送る。端末１０Ｃは、授業情報のうち、自端末に必要な履修情報（ＳＣ）のみを取得して保持し、残りの授業情報（ＳＤ＋ＳＥ＋ＳＦ）を端末１０Ｄへ送る。端末１０Ｄは、自端末に必要な授業情報（ＳＤ）のみを取得して保持し、残りの授業情報（ＳＥ＋ＳＦ）を端末１０Ｅへ送る。端末１０Ｅは、授業情報のうち、自端末に必要な授業情報（ＳＥ）のみを取得して保持し、残りの授業情報（ＳＦ）を端末１０Ｆへ送る。
【００３１】
また端末２０は、管理サーバ４０からの学生情報（ＴＡ＋ＴＢ＋ＴＣ＋ＴＤ＋ＴＥ＋ＴＦ）にそのまま端末１０Ａへ送る。端末１０Ａは、送られてきた学生情報のうち、自端末に必要な学生情報（ＴＡ）のみを取得して保持し、残りの学生情報（ＴＢ＋ＴＣ＋ＴＤ＋ＴＥ＋ＴＦ）を端末１０Ｂへ送る。端末１０Ｂは、送られてきた学生情報のうち、自端末に必要な学生情報（ＴＢ）のみを取得して保持し、残りの学生情報（ＴＣ＋ＴＤ＋ＴＥ＋ＴＦ）を端末１０Ｃへ送る。端末１０Ｃは、送られてきた学生情報のうち、自端末に必要な学生情報（ＴＣ）のみを取得して保持し、残りの学生情報（ＴＤ＋ＴＥ＋ＴＦ）を端末１０Ｄへ送る。端末１０Ｄは、送られてきた学生情報のうち、自端末に必要な学生情報（ＴＤ）のみを取得して保持し、残りの学生情報（ＴＥ＋ＴＦ）を端末１０Ｅへ送る。端末１０Ｅは、送られてきた学生情報のうち、自端末に必要な学生情報（ＴＥ）のみを取得して保持し、残りの学生情報（ＴＦ）を端末１０Ｆへ送る。
このようにして、履修情報のデータ量が大きい場合でも、配信部４２が各伝送経路中の端末全ての履修情報を、データの種別毎に分けて配信するようにしたので、トラフィックの問題を軽減できる。
【００３２】
次に、本発明の実施形態における他の配信例について説明する。
配信部４２は、各伝送経路中の端末全ての履修情報を、伝送路中の端末の幾つかを飛ばして異なるルートで配信する。ここでは、図１に示す場合、第１の通信経路は、管理サーバ４０→端末２０→端末１０Ａ→端末１０Ｃ→端末１０Ｅとする。第２の通信経路は、管理サーバ４０→端末２０→端末１０Ｂ→端末１０Ｄ→端末１０Ｆとする。
【００３３】
管理サーバ４０は、端末１０Ａに端末１０Ａに必要な履修情報ＸＡ、端末１０Ｂに端末１０Ｂに必要な履修情報ＸＢ、端末１０Ｃに端末１０Ｃに必要な履修情報ＸＣ、端末１０Ｄに端末１０Ｄに必要な履修情報ＸＤ、端末１０Ｆに端末１０Ｆに必要な履修情報ＸＦを送りたいとする。
【００３４】
管理サーバ４０は、第１の通信経路を利用して履修情報（ＸＡ＋ＸＣ＋ＸＥ）を端末２０へ送る。端末２０は、管理サーバ４０からの履修情報（ＸＡ＋ＸＣ＋ＸＥ）にそのまま端末１０Ａへ送る。端末１０Ａは、自端末が属する経路中の端末を経由して伝送される履修情報のうち、自端末に必要な履修情報（ＸＡ）のみを取得して保持し、残りの履修情報（ＸＣ＋ＸＥ）を端末１０Ｃへ送る。端末１０Ｃは、送られた履修情報のうち、自端末に必要な履修情報（ＸＣ）のみを取得して保持し、残りの履修情報（ＸＥ）を端末１０Ｅへ送る。端末１０Ｅは、送られてくる履修情報のうち、自端末に必要な履修情報（ＸＥ）のみを取得して保持し、残りの履修情報は無いので送信を終了する。
【００３５】
管理サーバ４０は、第２の通信経路を利用して履修情報（ＸＢ＋ＸＤ＋ＸＦ）を端末２０へ送る。端末２０は、管理サーバ４０からの履修情報（ＸＢ＋ＸＤ＋ＸＦ）にそのまま端末１０Ｂへ送る。端末１０Ｂは、自端末が属する経路中の端末を経由して伝送される履修情報のうち、自端末に必要な履修情報（ＸＢ）のみを取得して保持し、残りの履修情報（ＸＤ＋ＸＦ）を端末１０Ｄへ送る。端末１０Ｄは、送られてくる履修情報のうち、自端末に必要な履修情報（ＸＤ）のみを取得して保持し、残りの履修情報（ＸＦ）を端末１０Ｆへ送る。端末１０Ｆは、送られてくる履修情報のうち、自端末に必要な履修情報（ＸＦ）のみを取得して保持し、残りの履修情報は無いので送信を終了する。
このようにして、送るデータが大きい場合には、各伝送経路中の端末全ての履修情報を、伝送路中の端末の幾つかを飛ばして異なるルートで配信することで、トラフィックの問題を解決できる。
【００３６】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３７】
１０Ａ〜１０Ｆ  出席管理端末
２０  出席管理端末
４０  管理サーバ
４２  配信部
４６  履修情報管理部
４７  経路管理部
１１０  保持部
【図１】
2014228910.tif 000003
【図２】
2014228910.tif 000004
【図３】
2014228910.tif 000005
【図４】
2014228910.tif 000006
【図５】
2014228910.tif 000007
【図６】
2014228910.tif 000008